(57)【要約】【課題】先行配線工事におけるケーブル支持金具を安全且つ容易に取付けることが可能なケーブル支持金具用取付け工具を提供する。【解決手段】金具保持体２０にフック部Ｐ１の下端部を保持する保持部２１を設ける。この保持部２１の上部に一対のボルト支持部２２を設ける。ボルト支持部２２にて取付けボルトＰ２の側面を挟着保持する。ボルト支持部２２にて取付けボルトＰ２を揺動自在に支持する。保持部２１とボルト支持部２２との間に落下防止具２３を設ける。取付けボルトＰ２が傾斜するとフック部Ｐ１が落下防止具２３に当接するように構成する。【選択図】  図１
2018161720.tif 000002
【特許請求の範囲】
【請求項１】
伸縮自在な操作ポールと、該操作ポールの上端部に設けられた金具保持体とで構成され、ケーブルを支持せしめるフック部の一端から上方に向けて取付けボルトが延長形成されたケーブル支持金具を、天井下面のインサートに取付けるケーブル支持金具用取付け工具であって、
前記金具保持体は、前記フック部の下端部を保持する保持部と、該保持部の上部に形成され前記取付けボルトの側面を挟着保持する一対のボルト支持部とを備え、
該ボルト支持部にて前記取付けボルトを揺動自在に支持するように構成すると共に、前記取付けボルトが傾斜したときに前記フック部に当接する落下防止具を設けたことを特徴とするケーブル支持金具用取付け工具。
【請求項２】
前記保持部は、前記フック部を載置する載置部と、前記フック部を前記取付けボルトごと前記保持部の上から差し込むように配置された一対の挟着板体とで形成され、
該挟着板体の上部に前記ボルト支持部を配置すると共に、該挟着板体の中央部に前記落下防止具を配置し、
該落下防止具は、各挟着板体から相対向して当接する一対の係止板が開閉自在に設けられ、前記フック部を係止板の間に強制的に差し込むと該係止板が開くように構成した請求項１記載のケーブル支持金具用取付け工具。
【請求項３】
前記ボルト支持部の側面にフック形状の補助係止具を設け、該補助係止具に係止した前記ケーブルを前記インサートに取付けた前記ケーブル支持金具の前記フック部に敷設するように構成した請求項１又は２記載のケーブル支持金具用取付け工具。
【発明の詳細な説明】
【技術分野】
【０００１】
本発明は、先行配線工事におけるケーブル支持金具を安全且つ容易に取付けることができるケーブル支持金具用取付け工具に関するものである。
【背景技術】
【０００２】
オフィスビルなどで、天井が貼られる前にケーブルを敷設する先行配線工事が行われることがある。この工事では、天井面のインサートに先行配線用のケーブル支持金具を取付けることが一般的である。そして、このケーブル支持金具を取付ける作業は、脚立などを使用する高所作業になり、転落などの危険が伴うものであった。
【０００３】
高所における取付け作業を安全にする取付け工具として、例えば特許文献１に記載の光ファイバー敷設用のポールや、特許文献２に記載のケーブルハンガ緊車用の着脱工具などが提案されている。
【０００４】
特許文献１のポールは、鉄骨等の磁性体が露出状態に設けられている天井部に、温度監視用の光ファイバーを敷設する際に使用するもので、ポールの先端にファイバー吊下具を載置する保持部を備えたものである。
【０００５】
一方、特許文献２の着脱工具は、ケーブルハンガ緊車をメッセンジャワイヤに着脱する際に使用するもので、伸縮自在なポール部の先端に、ケーブルハンガ緊車の複数個のビーズが設けられたＵ字状環部が挿入される受け部と、この受け部の内部でビーズ押圧固定する固定部と、を備えたものである。
【先行技術文献】
【特許文献】
【０００６】
【特許文献１】特許第３２８６８１１号公報
【特許文献２】実用新案登録第２５２６８４５号公報
【発明の概要】
【発明が解決しようとする課題】
【０００７】
先行配線工事に使用されるケーブル支持金具は、ケーブルを支持する略円弧状のフック部の上端に取付けボルトを延長形成した構成で、この取付けボルトを天井面のインサートにネジ止めし、フック部に先行配線用のケーブルを支持する構成である。そのため、特許文献１や特許文献２のような取付け工具では、先行配線用のケーブル支持金具を天井面のインサートにネジ止めすることは極めて困難である。
【０００８】
すなわち、先行配線工事のケーブル支持金具をインサートに取付ける作業は、取付けボルトの端部をインサートのネジ孔に当て、ケーブル支持金具全体を回転させることでインサートにネジ止めする作業になる。そのため、インサートのネジ孔の軸芯と取付けボルトの軸芯とが一致しなければ取付けボルトをネジ止めすることはできない。このとき、ポールの先端にケーブル支持金具をしっかりと保持していなければ、取付けボルトが大きく傾いてしまい、取付け作業ができなくなるおそれがあった。
【０００９】
ところが、ケーブル支持金具が傾かないにようにポールの先端にしっかりと固定すると、取付けボルトをインサートにネジ止めすることが困難になることが判明した。すなわち、インサートのネジ孔の軸芯に合わせて取付けボルトをネジ止めする場合、インサートのネジ孔が常に鉛直下方を向いている場合は問題ないが、インサートのねじ孔の向きが僅かでも傾いていると、この傾きに取付けボルトの軸芯を合わせる必要がある。そうすると、取付けボルトの傾斜角度を維持しながらポールを回転操作しなければならず、ポールの先端にケーブル支持金具をしっかりと固定するとこのような軸芯を合わせながらネジ止めする作業が極めて困難な作業になることが判明したものである。
【００１０】
そこで本発明は上述の課題を解消すべく創出されたもので、長尺なポール先端に支持したケーブル支持金具をインサートの軸芯に合わせてネジ止めできるようにすることで、先行配線工事におけるケーブル支持金具を安全且つ容易に取付けることが可能なケーブル支持金具用取付け工具の提供を目的とする。
【課題を解決するための手段】
【００１１】
上述の目的を達成すべく本発明における第１の手段は、伸縮自在な操作ポール１０と、該操作ポール１０の上端部に設けられた金具保持体２０とで構成され、ケーブルＱを支持せしめるフック部Ｐ１の一端から上方に向けて取付けボルトＰ２が延長形成されたケーブル支持金具Ｐを、天井下面のインサートＲに取付けるケーブル支持金具用取付け工具であって、
前記金具保持体２０は、前記フック部Ｐ１の下端部を保持する保持部２１と、該保持部２１の上部に形成され前記取付けボルトＰ２の側面を挟着保持する一対のボルト支持部２２と、を備え、該ボルト支持部２２にて前記取付けボルトＰ２を揺動自在に支持するように構成すると共に、前記取付けボルトＰ２が傾斜したときに前記フック部Ｐ１に当接する落下防止具２３を前記保持部２１と前記ボルト支持部２２との間に設けたことにある。
【００１２】
第２の手段において、前記保持部２１は、前記フック部Ｐ１を載置する載置部２１Ａと、前記フック部Ｐ１を前記取付けボルトＰ２ごと前記保持部２１の上から差し込むように配置された一対の挟着板体２１Ｂとで形成され、該挟着板体２１Ｂの上部に前記ボルト支持部２２を配置すると共に、該挟着板体２１Ｂの中央部に前記落下防止具２３を配置し、該落下防止具２３は、各挟着板体２１Ｂから相対向して当接する一対の係止板２３Ａが開閉自在に設けられ、前記フック部Ｐ１を係止板２３Ａの間に強制的に差し込むと該係止板２３Ａが開くように構成したものである。
【００１３】
第３の手段は、前記ボルト支持部２２の側面にフック形状の補助係止具２４を設け、該補助係止具２４に係止した前記ケーブルＱを前記インサートＲに取付けた前記ケーブル支持金具Ｐの前記フック部Ｐ１に敷設するように構成したことにある。
【発明の効果】
【００１４】
本発明の請求項１のごとく、ボルト支持部２２にて取付けボルトＰ２を揺動自在に支持するように構成すると共に、取付けボルトＰ２が傾斜したときにフック部Ｐ１に当接する落下防止具２３を保持部２１とボルト支持部２２との間に設けたことにより、長尺な操作ポール１０の先端に支持したケーブル支持金具ＰをインサートＲの軸芯に合わせてネジ止めできるようになった。
【００１５】
請求項２のように、フック部Ｐ１を載置する載置部２１Ａと、フック部Ｐ１を取付けボルトＰ２ごと保持部２１の上から差し込むように配置された一対の挟着板体２１Ｂとで保持部２１を形成し、挟着板体２１Ｂの上部にボルト支持部２２が形成され、挟着板体２１Ｂの中央部に前記落下防止具２３を配置したものであるから、ケーブル支持金具Ｐのフック部Ｐ１は、この挟着板体２１Ｂの板面に沿って揺動自在に保持される。しかも、ケーブル支持金具Ｐが大きく傾くと、このフック部Ｐ１が落下防止具２３に当接するのでケーブル支持金具Ｐの落下を防止することができる。この結果、ケーブル支持金具Ｐの揺動範囲でインサートＲの軸芯に沿ったねじ込みが可能になるものである。
【００１６】
また、落下防止具２３は、各挟着板体２１Ｂから相対向して当接する一対の係止板２３Ａが開閉自在に設けられ、フック部Ｐ１を係止板２３Ａの間に強制的に差し込むと該係止板２３Ａが開くように構成しているので、インサートＲにケーブル支持金具Ｐを取付けた後は、金具保持体２０を引き下げることで落下防止具２３からケーブル支持金具Ｐを簡単に取り外すことができるものである。
【００１７】
請求項３のごとく、ボルト支持部２２の側面に上向きフック形状の補助係止具２４を設け、該補助係止具２４に係止したケーブルＱをインサートＲに取付けたケーブル支持金具Ｐのフック部Ｐ１に係止するように構成したことにより、インサートＲに装着した後のケーブル支持金具Ｐ配線作業も容易にすることができる。
【図面の簡単な説明】
【００１８】
【図１】本発明の使用状態を示す正面図である。
【図２】本発明の装着状態を示す分解斜視図である。
【図３】本発明の装着状態を示す断面図である。
【図４】本発明によるケーブル支持金具の保持状態を示す正面図である。
【図５】本発明によるケーブル敷設状態を示す正面図である。
【発明を実施するための形態】
【００１９】
本発明取付け工具は、オフィスビルなどで、天井が貼られる前にケーブルＱを敷設する先行配線工事が行われる際に、天井面のインサートＲに先行配線用のケーブル支持金具Ｐを取付ける際に使用する工具である。このケーブル支持金具Ｐは、ケーブルＱを支持せしめるフック部Ｐ１の一端から上方に向けて取付けボルトＰ２が延長形成された支持金具である。
【００２０】
本発明工具は、伸縮自在な操作ポール１０と、該操作ポール１０の上端部に設けられた金具保持体２０とで構成されている（図１参照）。
【００２１】
操作ポール１０は、伸縮自在な杆体１１の上端部に固定ねじ部１２を設けたもので、この固定ねじ部１２で金具保持体２０を着脱自在に連結する（図２参照）。一方、金具保持体２０は、保持部２１、ボルト支持部２２、落下防止具２３を備えている。
【００２２】
保持部２１は、ケーブル支持金具Ｐのフック部Ｐ１の下端部を保持する部材で、図示例では、フック部Ｐ１を載置する載置部２１Ａと、フック部Ｐ１を取付けボルトＰ２ごと上から差し込む間隔で配置された一対の挟着板体２１Ｂとで形成している（図２参照）。更に、操作ポール１０の固定ねじ部１２を連結するネジ孔２１Ｃを保持部２１の下面に形成している（図３参照）。
【００２３】
ボルト支持部２２は、取付けボルトＰ２の側面を挟着保持する一対の部位で、保持部２１の上部に形成され、取付けボルトＰ２を挟着保持するものである（図２参照）。図示のボルト支持部２２は、保持部２１の挟着板体２１Ｂ上部に設けている。そして、このボルト支持部２２にて取付けボルトＰ２を揺動自在に支持するように構成している（図４参照）。
【００２４】
仮に、ボルト支持部２２に取付けボルトＰ２が揺動しないようにしっかりと固定してしまうと、取付けボルトＰ２の先端から操作ポール１０の末端までが一本の軸となってしまうので、インサートＲが傾斜している場合は取付けボルトＰ２をネジ止めすることが困難になる。
【００２５】
一方、ボルト支持部２２に支持した取付けボルトＰ２の揺動幅が大きくなると、ボルト支持部２２から外れてケーブル支持金具Ｐが落下するおそれがある。そのため、保持部２１とボルト支持部２２との間に落下防止具２３を設け、取付けボルトＰ２が大きく傾斜したときに、フック部Ｐ１が落下防止具２３に当接するように構成している（図４参照）。
【００２６】
この落下防止具２３は、挟着板体２１Ｂの略中央部に配置したもので、各挟着板体２１Ｂから相対向して当接する一対の係止板２３Ａを開閉自在に設けている（図３参照）。図示の落下防止具２３は、一対の係止板２３Ａと、各係止板２３Ａを挟着板体２１Ｂに連結する連結具２３Ｂとで構成している。この係止板２３Ａは弾性力を有する板体が断面略くの字状に屈曲して突き出た中央部を相互に向き合うように配置している。そして、フック部Ｐ１を係止板２３Ａの間に強制的に差し込むと該係止板２３Ａが開くように構成している。この結果、係止板２３Ａの上から下にフック部Ｐ１を差し込むこと作業や、係止板２３Ａの下から上に向けてフック部Ｐ１を抜き出す作業が簡単に行える。尚、落下防止具２３の係止板２３Ａを保持部２１と一体に形成することで、連結具２３Ｂを省略することも可能である。
【００２７】
本発明工具の使用手順は、まず保持部２１にケーブル支持金具Ｐを装着する。すなわち、保持部２１の上から差し込んだフック部Ｐ１にて落下防止具２３を強制的に開いて通過させ、フック部Ｐ１の下端部を載置部２１Ａ上に載置する（図１参照）。
【００２８】
更に、ボルト支持部２２にケーブル支持金具Ｐの取付けボルトＰ２を挟着して揺動自在に固定する（図４参照）。この状態で操作ポール１０を伸ばし、取付けボルトＰ２の端部をインサートＲのネジ孔の位置に合わせながら操作ポール１０を回転させる。そうすると、インサートＲのネジ孔の軸芯が仮に傾斜しているような場合でも、取付けボルトＰ２が揺動することで、自然に傾斜角度に合わせてネジ込むことができる。
【００２９】
インサートＲにケーブル支持金具Ｐを取付けた後は、金具保持体２０を鉛直下方に向けて強制的に引き下げるとケーブル支持金具Ｐから金具保持体２０を取り外すことができる。このとき、落下防止具２３はフック部Ｐ１によって強制的に開くので、落下防止具２３が取り外し作業の妨げにならずに済む（図３参照）。
【００３０】
次に、補助係止具２４を使用してフック部Ｐ１にケーブルＱを敷設する。この補助係止具２４は、フック部Ｐ１と同様のフック形状を成し、ボルト支持部２２の側面に設けている。そして、敷設するケーブルＱを補助係止具２４に係止して持ち上げ、インサートＲ近くのフック部Ｐ１に載置してケーブルＱを敷設する（図５参照）。
【００３１】
尚、本発明の操作ポール１０や金具保持体２０構成、更には保持部２１、ボルト支持部２２、落下防止具２３等の構成は図示例に限定されるものではなく、本発明の要旨を変更しない範囲での設計変更は自由である。
【符号の説明】
【００３２】
Ｐ  ケーブル支持金具
Ｐ１  フック部
Ｐ２  取付けボルト
Ｑ  ケーブル
Ｒ  インサート
１０  操作ポール
１１  杆体
１２  固定ねじ部
２０  金具保持体
２１  保持部
２１Ａ  載置部
２１Ｂ  挟着板体
２２  ボルト支持部
２３  落下防止具
２３Ａ  係止板
２３Ｂ  連結具
２４  補助係止具
【図１】
2018161720.tif 000003
【図２】
2018161720.tif 000004
【図３】
2018161720.tif 000005
【図４】
2018161720.tif 000006
【図５】
2018161720.tif 000007